(57)【要約】【課題】屋内、屋外で持ち運び容易で、使い易く長時間使用できる酸素富化機を提供する。【解決手段】酸素富化空気を生成する酸素富化手段３６を内蔵する本体１と、酸素富化空気を本体外１に吐出する吐出部１２と、酸素富化空気を高圧封入して溜める保留部１１とを備え、保留部１１に、所定の圧力になると開成する圧力弁６２と、圧力弁６２を開閉する開閉手段６３を設けたもので、保留部１１内の封入圧力がある一定以上の圧力に達すると圧力弁６２が開いて、或いは、開閉手段６３により圧力弁６２を開くと、保留部１１内の酸素富化空気が一定量づつ吹出されて吐出部１２に送られるので、本体１を運転していない状態でも酸素富化空気を得ることができ、屋内、屋外での使用量を増やす事が出来、長く使用することができる。また、開閉手段６３により圧力弁６２の開閉状態を調整できるので酸素富化空気を一度に吹出して瞬間的に流量を増して使用することも出来る。【選択図】図３
2006212184.tif 000002
【特許請求の範囲】
【請求項１】
酸素富化空気を生成する酸素富化手段を内蔵する本体と、前記酸素富化空気を前記本体外に吐出する吐出部と、前記酸素富化空気を封入して溜める保留部とを備えた酸素富化機。
【請求項２】
保留部は、酸素富化空気を高圧封入して溜めることを特徴とする請求項１に記載の酸素富化機。
【請求項３】
保留部に、所定の圧力になると開成する圧力弁と、前記圧力弁を開閉する開閉手段とを備えた請求項１または２記載の酸素富化機。
【請求項４】
酸素富化手段を、酸素富化膜と、前記酸素富化膜に空気を供給する送風手段と、前記送風手段で供給される空気の一部を前記酸素富化膜を通して吸引して酸素富化空気を生成させるポンプとで形成した請求項１〜３のいずれか１項に記載の酸素富化機。
【請求項５】
酸素富化手段を複数設けて、酸素富化空気の酸素濃度を高めるようにした請求項１〜４のいずれか１項に記載の酸素富化機。
【請求項６】
酸素富化空気と酸素富化されていない外気とを、混合できるようにした請求項１〜５のいずれか１項に記載の酸素富化機。
【請求項７】
酸素富化空気と、酸素富化空気と酸素富化されていない外気を混合した混合空気とを、切り換えて吐出可能とした請求項６に記載の酸素富化機。
【請求項８】
酸素富化空気と酸素富化されていない外気との混合比率を変えられるようにした請求項６または７に記載の酸素富化機。
【発明の詳細な説明】
【技術分野】
【０００１】
本発明は、酸素富化空気を使用者に提供する酸素富化機に関するものである。
【背景技術】
【０００２】
従来の酸素富化機として、空気の酸素濃度を高めて酸素富化空気を発生させる装置本体と、これに接続され前記酸素富化空気を吐出する酸素吐出部と、音声発生源と、前記音声発生源に接続されたヘッドホンタイプの音声出力部等を備え、前記酸素吐出部と前記音声出力部を一体にし、前記酸素吐出部を使用者の口の部分に位置させることで酸素富化空気を吸入できるようにしたものがある（例えば、特許文献１参照）。
【特許文献１】特開平３−６３０６７号公報
【発明の開示】
【発明が解決しようとする課題】
【０００３】
従来の酸素富化機を開示した上記特許文献１には、電源部分について特に明記されていないが、仮に交流を電源に使う酸素富化機の場合、屋内の電源が有る場所で使用する場合には問題ないが、電池を電源として屋外や屋内の電源がない所で使用する酸素富化機の場合には、電池の使用時間が限られているため、長い時間使用できないという課題があった。
【０００４】
本発明は、前記従来の課題を解決するもので、屋内及び屋外で電源がなくても或いは、電池が切れても使え、その分長い時間使用できる酸素富化機を提供することを目的とする。
【課題を解決するための手段】
【０００５】
前記従来の課題を解決するために、本発明の酸素富化機は、酸素富化空気を生成する酸素富化手段を内蔵する本体と、前記酸素富化空気を前記本体外に吐出する吐出部と、前記酸素富化空気を封入して溜める保留部とを備えたもので、本体を運転していない状態でも保留部に封入して溜めた酸素富化空気を吹出させることにより屋内及び屋外での使用時間を増やす事が出来、長く使用することができる使用勝手の良い酸素富化機を提供できる。
【発明の効果】
【０００６】
本発明の酸素富化機は、本体を運転することなく、保留部に封入して溜めた酸素富化空気を吹出させることができるので、屋内及び屋外での使用時間を増やす事が出来、長く使用することができる。
【発明を実施するための最良の形態】
【０００７】
第１の発明は、酸素富化空気を生成する酸素富化手段を内蔵する本体と、前記酸素富化空気を前記本体外に吐出する吐出部と、前記酸素富化空気を封入して溜める保留部とを備えたもので、本体を運転していない状態でも保留部に封入して溜めた酸素富化空気を吹出させることにより屋内及び屋外での使用時間を増やす事が出来、長く使用することができる使用勝手の良い酸素富化機を提供できる。
【０００８】
第２の発明は、第１の発明の保留部は、酸素富化空気を高圧封入して溜めることを特徴とするもので、より多くの酸素富化空気を圧縮して、保留部内に溜めておくことが可能になり、さらに屋内及び屋外での使用時間を増やす事ができるものである。
【０００９】
第３の発明は、第１または第２の発明の保留部に、所定の圧力になると開成する圧力弁と、前記圧力弁を開閉する開閉手段とを備えたもので、保留部内の封入圧力がある一定以上の圧力に達すると圧力弁が開いて中の酸素富化空気が一定量づつ吹出されて吐出部へ流れ、また開閉手段により圧力弁を開くと保留部内の酸素富化空気が一定量づつ吹出されて吐出部に送られ、本体を運転していない状態でも保留部に封入して溜めた酸素富化空気を吹出させることにより屋内及び屋外での使用量を増やす事が出来、長く使用することができる。また、開閉手段により圧力弁の開閉状態を調整することで保留部に高圧封入して溜めた分の酸素富化空気を一度に吹出させることもでき瞬間的に流量を増して使用することも出来る使用勝手の良い酸素富化機を提供できる。
【００１０】
第４の発明は、第１〜第３のいずれか１つの発明の酸素富化手段を、酸素富化膜と、前記酸素富化膜に空気を供給する送風手段と、前記送風手段で供給される空気の一部を前記酸素富化膜を通して吸引して酸素富化空気を生成させるポンプとで形成したもので、酸素富化手段を簡単に構成することができる。
【００１１】
第５の発明は、第１〜第４のいずれか１つの発明の酸素富化手段を複数設けて、酸素富化空気の酸素濃度を高めるようにしたもので、高酸素濃度の酸素富化空気を少量ずつ吹出すことにより、屋内及び屋外での酸素富化空気の使用量を増やす事が出来、長く使用することができる。また吐出部より直接吸引することで高酸素濃度の酸素富化空気を得ることも出来る。
【００１２】
第６の発明は、第１〜第５のいずれか１つの発明の酸素富化空気と酸素富化されていない外気とを、混合できるようにしたもので、酸素富化されていない空気を混合する量が多ければ酸素濃度は薄くなるが、流量が増え、より長い時間使用することができる。
【００１３】
第７の発明は、第６の発明の酸素富化空気と、酸素富化空気と酸素富化されていない外気を混合した混合空気とを、切り換えて吐出可能としたもので、高酸素濃度で低流量の酸素富化空気か、又は低酸素濃度で大流量の酸素富化空気かの選択を自由に切り換えて使用することができる。
【００１４】
第８の発明は、第６または第７の発明の酸素富化空気と酸素富化されていない外気との混合比率が変えられるようにしたもので、酸素富化空気と酸素富化されていない空気の混合比率が変えられるので、酸素富化空気の酸素濃度や流量の調整が、利用者の体調や好みに合わせて自由に、しかも簡単に出来る。
【００１５】
以下、本発明の実施の形態について、図面を参照しながら説明する。なお、この実施の形態によって本発明が限定されるものではない。
【００１６】
（実施の形態１）
以下、本発明の第１の実施の形態における酸素富化機について図１〜図１０を用いて説明する。
【００１７】
図１〜図１０において、本体１の内部には、酸素濃度の高い空気、いわゆる酸素富化空気を生成する酸素富化手段３６が配されている。酸素富化手段３６は、酸素富化膜ユニット２と、酸素富化膜ユニット２に空気を供給する送風手段であるファン９と、前記ファン９で供給される空気の一部を酸素富化膜ユニット２を通して吸引して酸素富化空気を生成させる吸引手段であるポンプ１０から構成されている。
【００１８】
酸素富化膜ユニット２は、有機高分子の平膜より構成され、前記平膜を通過する分子の速度の差を利用するもので、空気中の窒素に比べ酸素をよく通すため、比較的酸素濃度の高い空気いわゆる酸素富化空気が得られる。通常の空気において酸素が占める割合は約２１％（窒素約７９％）であるが、本実施の形態における酸素富化膜ユニット２を通過後の酸素富化空気においては、酸素が占める割合が約３０％（窒素約７０％）となる。
【００１９】
また、前記酸素富化膜ユニット２は、図６、図７に示す如くメッシュ構造のフレーム３の両側面に略長方形の酸素富化膜４を貼って両膜間を通路としたモジュール５を、複数枚積層した略直方体のユニット構造となっており、フレーム３の通路内を後述の吸引手段であるポンプ１０で吸引することにより、酸素富化膜４の周辺を流れる空気の一部が酸素富化膜４を通過してフレーム３の通路内に入りこみ、酸素富化空気が得られ、この得られた酸素富化空気を酸素富化膜ユニット２の唯一の排出口であるユニット排出口６から集中排気している。
【００２０】
ファン９は、本体１の背面に設けた吸気口７から本体１内に外気を吸引し、酸素富化膜ユニット２に送った後、酸素富化膜４を通過しフレーム３の通路内に吸引された空気以外の外気を、本体１の側面に設けた排気口８から外部に排出する。またファン９は、酸素富化膜ユニット２の下流側で、排気口８の近傍に設けられており、ファン９に対して、酸素富化膜ユニット２の反対側に、回路７０が、その基板（図示せず）がフレーム３と平行な方向になるように取り付けられている。
【００２１】
ポンプ１０は、本体１内の酸素富化膜ユニット２の下方に設けられ、回転軸１０ｃの両端に冷却用のファン１０ｂを有し、酸素富化膜ユニット２の周辺の空気を酸素富化膜４を通してフレーム３の通路内に吸引して下流側に送る。更にこのポンプ１０は、酸素富化膜４を通過した後の酸素富化空気を、下流側の保留部１１で高圧封入して保留した後、本体１の側面に回動可能に取り付けられ曲がり管より構成された吐出部１２に送り、さらに吐出部１２に着脱自在に連結された後述の酸素富化空気吐出手段であるヘッドセットユニット１３（図８参照）に送り込んでいる。
【００２２】
保留部１１には、酸素富化空気が流入する流入口１１ａと、酸素富化空気が流出する流出口１１ｂが設けられ、流入口１１ａと流出口１１ｂの位置は、図１に示すように直線状とならないように（両者が直接対向しないように）互いの中心軸をずらして設けてあり、流入口１１ａから流入した空気流がそのまま保留部１１で保留されずに流出口１１ｂへ抜けていくことを防止している。
【００２３】
保留部１１への、酸素富化空気の高圧封入は、保留部１１と吐出部１２とを連通する連通路４７の途中に設けられ開閉手段６３を有する圧力弁６２を用いて行われ、酸素富化空気の圧力がある一定以上に達するまで圧力弁６２は閉じられており、ポンプ１０からの酸素富化空気は高圧で保留部１１に封入されていく、そして保留部１１内の封入圧力がある一定以上の圧力に達すると圧力弁６２が開いて中の酸素富化空気が一定量づつ吹出されて吐出口１２へ送出される。
【００２４】
そして、保留部１１へ酸素富化空気が高圧封入された後は、本体１の運転を停止している状態でも開閉手段６３により圧力弁６２を開くと保留部１１に高圧封入された酸素富化空気が一定量づつ吹出されて吐出口１２へ送られ、さらにそれに連結されたヘッドセットユニット１３に送り込まれ、使用者は酸素富化空気を吸引することができる。
【００２５】
ポンプ１０には、酸素富化膜４の通過圧損に対抗して酸素富化空気の流量を稼ぐために運転時の圧力が高いベローズポンプが用いられている。更にポンプ１０は、図４に示す如く板金３７に取り付けられ、板金３７は、防振材３８、３９を介して本体１の底部ボス１ａに嵌合され、底部ボス１ａからの抜けを防止するワッシャ４０、ビス４１で留められている。さらに本体１は、防振機能を持つ脚４２を底面に設けている。１０ａは、ポンプ１０の駆動源であるモータで、モータ１０ａの過熱防止のための温度ヒューズ４３がクッション４５によってモータ１０ａに圧接される方向に付勢されて取り付けられている。
【００２６】
１４は、本体１を持ち運ぶ際に握る把手であり、回転軸部１５を中心に回動自在に設けられている。また１６、１７は、内ケース左、内ケース右であり、両部品で酸素富化膜ユニット２とポンプ１０を内蔵する内ケースを構成し、それぞれの上方に把手１４の回転軸部１５を直接受ける軸受け部１８、１９を一体に設けている。また２０は、ヘッドセットユニット１３を使用しない時に、引っ掛けて保持しておくための、保持部であり、その外端は大径部としてある。前記保持部２０は、前記把手１４の回転軸部１５と一体に設けられており、本体１の側面に別途設ける必要が無く、把手１４の回動の邪魔になることもない。また回転軸部１５と一体に設けられているため、外観のデザイン性も違和感が無く、良いものである。
【００２７】
また、図１０の要部概略構成図に示す如く、本体１内のポンプ１０と、酸素富化膜ユニット２のユニット排出口６との間の経路において、外気導入切替用の電磁弁６０が設けられ、運転終了前の約１分間に渡って、電磁弁６０を開いて運転することにより、外気が酸素富化膜ユニット２の酸素富化膜４を通過せず、直接ポンプ１０により吸引され、それが下流側に送られる「送風運転」が行われ、酸素富化空気が通る配管内等に滞留した高湿度の空気を換気し、水滴が発生した場合は、後述する液だまり２２まで追い出し、途中の経路が乾きやすいように構成してある。
【００２８】
なお、外気導入切替用の電磁弁６０の上流側には、ＨＥＰＡフィルター６１が設けられており、外気を導入する際に、前記ＨＥＰＡフィルター６１により、０．３ミクロン以上の粒子を９９．７％以上除去できるように構成されている。なお、上記「送風運転」はタイマー（図示せず）による通常運転の終了後、所定時間（例えば、７秒）の停止状態を経て自動的に実行される。またタイマーによる通常運転を途中で強制的に停止するため切スイッチ（図示せず）を操作した時も同様に上記「送風運転」を行った後に、本体１の運転を停止するようにしている。
【００２９】
次に、酸素富化空気を使用者に供給する酸素富化空気吐出手段であるヘッドセットユニット１３の構成について、図８、９を用いて説明する。
【００３０】
ヘッドセットユニット１３は、使用者が酸素富化空気を吸引するための吐出口２１を有している。また、本体１の側面に設けた吐出部１２とヘッドセットユニット１３との間の経路には、液だまり２２と、吐出部１２と前記液だまり２２とを連通する塩化ビニル等の柔軟な透明チューブからなる第一の連結管２３と、前記液だまり２２と前記ヘッドセットユニット１３を連通する塩化ビニル等の透明チューブからなる柔軟な第二の連結管２４とを備えている。そして上記第一の連結管２３と、第二の連結管２４は抗菌剤か帯電防止剤あるいはその両方を含んでおり、それぞれ液だまり２２に着脱自在に接続されている。
【００３１】
また、前記ヘッドセットユニット１３は、耳当て部左２５と、耳当て部右２６と、耳当て部左２５と耳当て部右２６を接続するヘッドバンド２７と、酸素富化空気を吐出する吐出口２１と、耳当て部左２５の底面２８に着脱自在に連結され前記底面２８と吐出口２１を連通すると共に折り曲げ自在に設けられた可橈性自在継手部２９とを備えている。また、液だまり２２に一端が接続された第二の連結管２４も、前記可橈性自在継手部２９同様、その他端を、ヘッドセットユニット１３の耳当て部左２５の底面２８に着脱自在に連結されている。なお、耳当て部左２５の底面２８には、可橈性自在継手部２９と第二の連結管２４を連通させるためのＵ字管（図示せず）が設けられている。
【００３２】
液だまり２２は、Ｏリング（図示せず）で気密を保ちながら、ねじ方式あるいは圧入方式等により、その本体部分が本体上２２ａと本体下２２ｂの２つに分離可能に形成され、本体上２２ａと本体下２２ｂを２つに分離して、内部に溜まった水滴等を排出できるようにしている。
【００３３】
この時ねじ方式では、１回転以内のねじりにより本体上２２ａと本体下２２ｂが分離及結合ができるようにしてある。また、液だまり２２と第一の連結管２３との接続部、及び前記液だまり２２と第二の連結管２４との接続部から、それぞれ前記液だまり２２内に突き出た管部Ａ３０、管部Ｂ３１を設けるとともに、前記管部Ａ３０と管部Ｂ３１は、互いの管の中心軸をずらして設けてある。
【００３４】
一方、ヘッドセットユニット１３に設けた、吐出口２１は、図９に示す如く、吐出口本体２１ａと蓋体２１ｂがバネラッチなどで開閉自在に構成され、その表面近傍の上流側に、ハニカム基材に酵素を添着したバイオ除菌フィルター３４を、表面近傍の下流側に、抗菌処理したＨＥＰＡフィルター等からなる高捕集効率フィルター（以下、「抗菌ＨＥＰＡフィルター３５」という）をそれぞれ有している。また、芳香剤を含浸した球状体４６を内蔵している。バイオ除菌フィルター３４は、そこで捕捉した菌などの活動を抑制し、さらにウイルスの活動も抑制する。また抗菌ＨＥＰＡフィルター３５は、０．３ミクロン以上の粒子を９９．７％以上除去すると共に、抗菌材の働きで捕集した菌、カビの活動を制御するものであり、更に球状体４６は、使用者に吐出される酸素富化空気に香をつけるものである。
【００３５】
また、図５に示す３２は、本体１の天面に設けられ本体１の運転を行う際に操作する運転スイッチであり、３３は、同じく本体１の天面に設けられ、選択されたタイマー（図示せず）による運転時間あるいは「送風運転」の通電状態を表示するランプである。そして４７は本体１の前面に設けられ、高酸素濃度空気、いわゆる酸素富化空気の供給をしている時のみ点灯表示する表示手段で、ＬＥＤで構成してあり、この実施の形態では緑色に光るように構成してある。
【００３６】
次に、上記構成による酸素富化機の動作、作用について、説明する。
【００３７】
運転スイッチ３２をＯＮ操作すると、ポンプ１０に動作電源を供給する回路７０が動作し、通電状態を示すランプ３３が点灯すると共に、タイマー（図示せず）で設定した時間に応じてポンプ１０が運転し、かつファン９が作動する。そしてファン９の運転により本体１に設けた吸気口７より外気が吸引され、この外気は酸素富化膜ユニット２を通り、排気口８から本体外に排出される。一方、前記酸素富化膜ユニット２の周囲を通る外気の一部が、ポンプ１０の運転により酸素富化膜ユニット２のフレーム３内に吸引され、その際酸素が通過しやすいところから酸素富化された空気、すなわち酸素富化空気となる。そしてこの酸素富化空気は吐出部１２に送出され、当該吐出口部１２より吐出される。
【００３８】
上記吐出部１２より吐出される酸素富化空気は、第１、第２連結管２３、２４を経てヘッドセットユニット１３の吐出口２１より吐出される。従って、使用者はヘッドセットユニット１３を頭部にセットし、可橈性自在継手部２９を動かして、吐出口２１を使用者の口や鼻に近づけることにより、吐出口２１から吐出される酸素富化空気を、口や鼻から吸引できるようになる。
【００３９】
この時、本体１の前面に設けた表示手段４８は、タイマーが設定され酸素富化空気が吐出していることにより緑色に点灯している。この緑色は人間工学的に見て安心感や安らぎを与えることから、使用者はこれをみてリラックス感を得ることができる。またここで使用者がタイマー設定せず運転スイッチ３２をＯＮ操作しただけでは、ファン９のみが動作開始し、酸素富化空気は供給されないが、この場合、使用者は前記表示手段４８が点灯していないことによりこれを知ることができる。換言すれば上記表示手段４８は酸素富化空気が吐出しているときにだけ点灯するので、使用者や近くにいる人は、酸素富化空気が吐出していることを確実に知ることができる。
【００４０】
特に、本実施の形態では、上記表示手段４８はポンプ１０の作動状態を表示するようにしたのでポンプ１０やポンプ運転回路系の故障や異常を的確に知ることができる。
【００４１】
なお、上記実施の形態では、酸素富化空気吐出手段として、使用者が頭部に装着するヘッドセットユニット１３を例示したが、これに限定されるものではなく、首部あるいは肩部にかけるタイプでも支障がなく、また腕の一部や胴体の一部にマジックテープ（登録商標）等で巻きつけるタイプでも支障がなく、さらにネクタイ等の衣服の一部にピン等で止めるタイプでも支障がなく、もちろん防塵マスクのように耳等を使って顔の一部を覆うタイプでも支障がないものである。
【００４２】
また上記実施の形態では、表示手段４８をＬＥＤで構成したが、ランプ等であってもよく、また、点灯ではなく輝度を変えたり点滅させるなどしてもよく、使用者に報知するという所期の目的を達成するものであればどのように構成してもよいものである。
【００４３】
保留部１１への酸素富化空気の高圧封入は、開閉手段６３を有する圧力弁６２を用いて行われ、ある一定以上の圧力に達するまで圧力弁６２は閉じられており、ポンプ１０からの酸素富化空気は高圧で保留部１１に封入されていく、そして保留部１１内の封入圧力がある一定以上の圧力に達すると圧力弁６２が開いて中の酸素富化空気が一定量づつ吹出されて吐出部１２へ流れ、さらに吐出部１２より吐出される酸素富化空気は、第１、第２連結管２３、２４を経てヘッドセットユニット１３の吐出口２１より吐出される。
【００４４】
また、保留部１１へ酸素富化空気が高圧封入された後では、本体１を運転していない状態でも、開閉手段６３により圧力弁６２を開くと保留部１１に高圧封入された酸素富化空気が一定量づつ吹出されて吐出部１２へ送られ、第１、第２連結管２３、２４を経てヘッドセットユニット１３の吐出口２１より吐出される。
【００４５】
以上のように、本実施の形態によれば、本体１に、酸素富化空気を開閉手段６３を有する圧力弁６２を用いて高圧封入して溜める保留部１１を設け、保留部１１内の封入圧力がある一定以上の圧力に達すると圧力弁６２が開いて中の酸素富化空気が一定量づつ吹出されて吐出部１２へ流れ、開閉手段６３により圧力弁６２を開くと、保留部１１に高圧封入された分の酸素富化空気が一定量づつ吹出されて吐出口１２へ送られることで、本体１を運転していない状態でも、保留部１１に高圧封入して溜めた酸素富化空気を吹出させることにより屋内及び屋外での使用量を増やす事が出来、長く使用することができる。
【００４６】
また、開閉手段６３により圧力弁６２の開閉状態を調整することにより保留部１１に高圧封入して溜めた分の酸素富化空気を一度に吹出させることも出来るものであり、瞬間的に流量を増して使用することも出来る使用勝手に良い酸素富化機を提供できる。
【００４７】
（実施の形態２）
図１１は、本発明の第２の実施の形態における酸素富化機の概略構成図、図１２は、同酸素富化機の保留部の平面図、図１３は、同保留部にヘッドセットユニットを接続した状態を示す斜視図である。なお、上記第１の実施の形態と同一部分については、同一符号を付してその説明を省略する。
【００４８】
本実施の形態は、本体１内に、酸素富化膜ユニット２と、この酸素富化膜ユニット２に空気を供給するファン９と、前記酸素富化膜ユニット２を介して前記ファン９で供給された空気の一部を吸引して酸素濃度の高い空気を生成させるポンプ１０とから成る酸素富化手段４９を複数直列に構成したもので、酸素富化空気を更に酸素富化状態とすることにより高酸素濃度の酸素富化空気を得ることが出来る。
【００４９】
こうして得られた高酸素濃度の空気は、本体１に着脱自在取付けられた缶状の保留部５０に送られ高圧封入して保留された後、吐出部１２より吹出される。保留部５０への酸素富化空気の高圧封入は、開閉手段６３を有する圧力弁６２を用いて行われ、ある一定以上の圧力に達するまで圧力弁６２は閉じられており、ポンプ１０からの酸素富化空気は高圧で保留部５０に封入されていく。そして保留部５０内の封入圧力がある一定以上の圧力に達すると圧力弁６２が開いて中の酸素富化空気が一定量づつ吹出されて吐出部１２へ流れ、さらに吐出部１２と連結されたヘッドセットユニット１３に送り込まれる。
【００５０】
そして、保留部５０へ酸素富化空気が高圧封入された後は、本体１を停止して運転していない状態でも開閉手段６３により圧力弁６２を開くと保留部５０に高圧封入された酸素富化空気が一定量づつ吹出されて吐出部１２を経てヘッドセットユニット１３に送り込まれる。
【００５１】
保留部５０の本体１への着脱は、保留部５０に設けられた流入口５０ａと流出口５０ｂを本体１の接続口１ｂに接続する事により行われ、さらに、図１１に示すように流入口５０ａと流出口５０ｂの位置は、直線状とならないように互いの中心軸をずらして設けてある。このことにより保留部５０の流入口５０ａから流入し酸素富化空気がそのまま保留部５０で保留されずに流出口５０ｂへ抜けていくことを防止している。
【００５２】
また、流入口５０ａと流出口５０ｂには、それぞれ逆止弁５０ｃ、５０ｄが設けられており保留部５０が本体１に装着された状態で開き、本体１から取り外した状態では閉じて封入された酸素富化空気が漏れないようになっている。５１は、可変式の切換バルブで、本体１の外部に設けられた調整つまみ５２によって、外気を取り入れる外気導入口５３とのバルブの開閉切換え及び外気導入流量の調整（絞り）が行うことができる。切換バルブ５１を開くことより保留部５０へ保留される高酸素濃度の酸素富化空気に、酸素富化されていない通常酸素濃度の外気を混合させることが出来、更に外気導入流量の調整（絞り）を行うことで酸素濃度及び流量の調整を行うことができる。
【００５３】
まず、保留部５０を本体１に取付けた状態で使用する場合には、調整つまみ５２で切換バルブ５１の開閉及び絞りを調整することで、酸素富化空気の酸素濃度及び流量を好みの濃度、流量に調整することができ、また高濃度の酸素を必要とする時は、切換バルブ５１を閉めて外気との混合を行わず保留部５０に高酸素濃度にされた酸素富化空気を保留し、吐出部１２より直接吸引することで高濃度の酸素を得ることが出来る。
【００５４】
次に、保留部５０を本体１から取り外した状態で使用する場合には、切換バルブ５１を閉めて外気との混合を行わず保留部５０に高酸素濃度の酸素富化空気を保留した状態とし、少量ずつ吹出すことにより、屋内及び屋外での使用量を増やす事が出来、長く使用することができる。また高濃度の酸素を必要とする時は、保留部５０の流出口５０ｂより直接吸引することで高濃度の酸素を得ることが出来る。
【００５５】
図１２、図１３は、保留部５０を本体１から取り外した状態で使用する場合を示したもので、保留部５０の流出口５０ｂに使用者に酸素富化空気を供給するヘッドセットユニット１３等の酸素富化空気吐出手段を接続して使用する。
【００５６】
ここでは、スプレーノズル５４を接続して使用した状態とヘッドセットユニット１３を使用した状態を示す。保留部５０の流出口５０ｂに設けられた逆止弁５０ｄは、スプレーノズル５４や第一の連結管２３に接続された状態で開き一定量の酸素富化空気が吹出すようになっている。
【００５７】
次に、上記構成による酸素富化機の動作、作用について、説明する。
【００５８】
本体１内に、酸素富化膜ユニット２と、酸素富化膜ユニット２に空気を供給するファン９と、前記酸素富化膜ユニット２を介して前記ファン９からの空気の一部を吸引して酸素濃度の高い空気、いわゆる酸素富化空気を生成させるポンプ１０とから成る酸素富化手段４９を複数直列に構成し、酸素富化空気を更に酸素富化状態とすることにより酸素濃度を更に向上させ高酸素濃度の酸素富化空気を得ることが出来る。
【００５９】
こうして得られた高酸素濃度の空気は、本体１に着脱自在に取付けられた缶状の保留部５０に送られ高圧封入して保留され、その後吐出部１２より吹出される。保留部５０の本体１への着脱は、保留部５０に設けられた流入口５０ａと流出口５０ｂを本体１の接続口１ｂに接続する事により行われ、流入口５０ａと流出口５０ｂの位置は、直線状とならないように互いの中心軸をずらして設けてある。このことにより保留部５０の流入口５０ａから流入した酸素富化空気がそのまま保留部５０で保留されずに流出口５０ｂへ抜けていくことを防止することができる。
【００６０】
流入口５０ａと流出口５０ｂには、それぞれ逆止弁５０ｃ、５０ｄが設けられており保留部５０が本体１に装着された状態で開き、本体１から取り外した状態では閉じて封入された酸素富化空気が外部に漏れないようになっている。
【００６１】
また、本体１の外部に設けられた調整つまみ５２を回すことにより、可変式の切換バルブ５１で、外気導入口５３とのバルブの開閉切換え及び外気導入流量の調整（絞り）を行うことができる。また、切換バルブ５１を開くことより保留部５０へ保留される高酸素濃度の酸素富化空気に通常酸素濃度の外気を混合させることが出来、更に外気導入流量の調整（絞り）を行うことで酸素濃度及び流量の調整を行うことができる。
【００６２】
保留部５０を本体１に取付けた状態で使用する場合には、調整つまみ５２で切換バルブ５１の開閉及び絞りを調整することで好みの酸素濃度及び流量の調整をすることができ、また高濃度の酸素を必要とする時は、切換バルブ５１を閉めて外気混合を行わず保留部５０に高酸素濃度にされた空気を保留し、吐出部１２より直接吸引することで高酸素濃度の空気を得ることが出来る。
【００６３】
次に、保留部５０を本体１から取り外した状態で使用する場合には、切換バルブ５１を閉めて外気混合を行わず保留部５０に高酸素濃度にされた空気を保留した状態とし、少量ずつ吹出すことにより屋内及び屋外での使用量を増やす事が出来、長く使用することができる。また高濃度の酸素を必要とする時は、保留部５０の流出口５０ｂより直接吸引することで高酸素濃度の空気を得ることが出来る。
【００６４】
以上のように本実施の形態によれば、複数の酸素富化手段４９を用いることで酸素富化空気を更に酸素富化状態とすることができ、酸素濃度を更に向上させ高酸素濃度にした酸素富化空気を少量ずつ吹出すことで、屋内及び屋外での使用量を増やすことが出来、長く使用することができる。また高酸素濃度の空気を必要とする時は、吐出部１２または保留部５０の流出口５０ｂより直接吸引するようにする。
【００６５】
また、高酸素濃度の酸素富化空気を保留部５０に溜めて出すことで、本体１を運転することなく保留部５０に溜めた酸素富化空気を吹出させることにより屋内及び屋外での使用量を増やす事が出来、長く使用することができる。また保留部５０に溜めた酸素富化空気を一度に吹出させることにより瞬間的に流量を増して使用することも出来る。
【００６６】
また、酸素富化空気を溜める保留部５０を本体１から分離、着脱自在にしたことにより、保留部５０を本体１から取り外し、屋内及び屋外に保留部５０のみを自由に持ち運び出来、軽量で手軽に持ち歩きしながら酸素を吸引することが出来る。更に本体１に着脱することで何度でも保留部５０に濃縮酸素を詰め替えて使用できる。
【００６７】
なお、酸素富化空気を溜める保留部５０を複数準備しておけば、複数の保留部５０に高酸素濃度の酸素富化空気を詰め込んで準備する事が出来、屋内及び屋外での使用量を増やすことが出来る。また複数の使用者が一度に各々異なる場所で使用することも出来るものである。
【００６８】
また、酸素富化空気を溜める保留部５０を缶状に形成したことにより、軽量で携帯用として持ち運びし易く使い易いものであり、また大量生産も容易である。
【００６９】
また、酸素富化空気と通常空気（外気）を混合させることにより、特に通常空気を混合する量が多ければ酸素濃度は薄くなるが、流量を増して使用するあるいは、長い時間使用することができる。
【００７０】
また、酸素富化空気と酸素富化されていない空気を混合した空気を切り換え可能としたことにより、高酸素濃度で低流量か、低酸素濃度で高流量かの選択を自由に切り換えて使用することができる。
【００７１】
また、酸素富化空気と酸素富化されていない空気を混合し、その混合比率を可変可能としたことにより、酸素濃度と流量の調整が自由に出来るものである。
【００７２】
また、本体１に酸素濃度及び流量調整手段である調整つまみ５２を設けたことにより使用者が自由に酸素富化空気の酸素濃度と流量の調整が出来るものである。
【００７３】
また、保留部１１の流入口１１ａと流出口１１ｂの位置を直線状とならないように形成したことにより、保留部１１の流入口１１ａから流入した空気流がそのまま保留部１１で保留されずに流出口１１ｂへ抜けていく事を防止することが出来る。
【００７４】
（実施の形態３）
図１４は、本発明の第３の実施の形態における酸素富化機の全体構成図である。なお、上記実施の形態と同一部分については同一符号を付してその説明を省略する。
【００７５】
本実施の形態は、図１４に示すように、吐出部１２に接続される第一の連結管２３と第二の連結管２４とを蛇腹状に構成し、さらに本体１の底面にキャスター５５を取付けたもので、第一の連結管２３と第二の連結管２４が蛇腹状になっているので、使用時には容易に伸ばすことができ、使用しない時は、逆に収縮させて短くすることができるので、収納、持ち運びが容易であり、また、本体１に付けたキャスター５５により、本体１の移動を楽にし、持ち運びやすくするものである。
【産業上の利用可能性】
【００７６】
以上のように、本発明にかかる酸素富化機は、屋内及び屋外で電源がなくても或いは、電池が切れても使え、その分長い時間使用できるもので、家庭用、業務用酸素富化機に広く適用できる。
【図面の簡単な説明】
【００７７】
【図１】本発明の第１の実施の形態における酸素富化機本体の側断面図
【図２】同、本体の背面から見た断面図
【図３】同、本体の天面から見た断面図
【図４】同、酸素富化機のポンプの取付け部を示す要部断面図
【図５】（ａ）同本体の正面図（ｂ）同本体の側面図（ｃ）同本体の背面図（ｄ）同本体の平面図
【図６】同、酸素富化機の酸素富化膜ユニットを構成するモジュールの分解斜視図
【図７】（ａ）同、モジュールを複数枚並べた状態の外観斜視図（ｂ）同、モジュールで構成される酸素富化膜ユニットの外観斜視図
【図８】同、酸素富化機のヘッドセットユニットの外観斜視図
【図９】同、ヘッドセットユニットの吐出口の断面図
【図１０】同、酸素富化機の供給経路の一部の概略構成図
【図１１】本発明の第２の実施の形態における酸素富化空気の概略構成図
【図１２】同、酸素富化機の保留部の平面図
【図１３】同、保留部にヘッドセットユニットを接続した状態を示す斜視図
【図１４】本発明の実施の形態３における酸素富化機の全体構成図
【符号の説明】
【００７８】
１    本体
２    酸素富化膜ユニット（酸素富化手段）
４    酸素富化膜（酸素富化手段）
９    ファン（送風手段）
１０  ポンプ（吸引手段）
１１、５０  保留部
１２  吐出部
１３  ヘッドセットユニット（酸素富化空気吐出手段）
２３  第一の連結管(連結管)
２４  第二の連結管(連結管)
５１  切換バルブ
５２  調整つまみ（調整手段）
６２  圧力弁
６３  開閉手段
【図１】
2006212184.tif 000003
【図２】
2006212184.tif 000004
【図３】
2006212184.tif 000005
【図４】
2006212184.tif 000006
【図５】
2006212184.tif 000007
【図６】
2006212184.tif 000008
【図７】
2006212184.tif 000009
【図８】
2006212184.tif 000010
【図９】
2006212184.tif 000011
【図１０】
2006212184.tif 000012
【図１１】
2006212184.tif 000013
【図１２】
2006212184.tif 000014
【図１３】
2006212184.tif 000015
【図１４】
2006212184.tif 000016